(57)【要約】【課題】簡易且つ安価に作製可能なおにぎり包装フィルム、及びこれを使用した包装おにぎりであって、おにぎり包装フィルムをおにぎりから容易に剥離することができる包装おにぎりを提供する。【解決手段】本願発明の包装おにぎり１００は、取手部１２を一方に引っ張ると、包装フィルム１を構成する外装フィルム１１（ａ）と（ｂ）に容易に分割でき、この外装フィルム１１に接合した海苔収納のための内装フィルム２１ａ、２１ｂも分離可能であり、海苔付きおにぎりを容易に包装フィルム１から剥離できる。この外装フィルムの折重ね部１３は折り目Ｗ、Ｘ、Ｙ、Ｚを備え、この折り目Ｘに沿ってスリットＳを設ける。包装おにぎりの取手部を引っ張ると折重ね部が展開して、スリットＳで包装フィルムは２分割され、おにぎりから容易に剥離できる。【選択図】図９
2010070242.tif 000002
【特許請求の範囲】
【請求項１】
幅方向の中央部で分割が可能な外装フィルム（１１）と、幅方向の中央部で分離可能に重ね合された一対の内装フィルム（２１ａ、２１ｂ）とからなり、外装フィルム（１１）と内装フィルムの外周縁部（２２ａ、２２ｂ）を一体に接合し、該外装フィルム（１１）と該内装フィルム（２２ａ、２２ｂ）との間に形成された海苔を収納するための中空部（４０）を備えるおにぎり包装フィルム（１）において、
該外装フィルムは、幅方向の中央部において縦方向に複数の折り目（Ｗ、Ｘ、Ｙ、Ｚ）が設けられた折重ね部（１３）を備え、
該外装フィルムの備える折重ね部（１３）は、正面視で折り目（Ｘ）及び折り目（Ｙ）、背面視で折り目（Ｚ）が設けられ、該折り目（Ｗ）を構成する折返し部は該折り目（Ｙ）を構成する折返し部に内接し、
上記外装フィルム（１１）を分割するためのスリット（Ｓ）が、該折り目（Ｘ）に沿って設けられていることを特徴とするおにぎり包装フィルム。
【請求項２】
上記折り目（Ｘ）に沿って設けられた上記外装フィルム（１１）を分割するためのスリット（Ｓ）は、上記外装フィルム（１１）の両端部の各々から上記スリット（Ｓ）の両端部の各々までの距離が２０ｍｍ〜５０ｍｍである請求項１記載のおにぎり包装フィルム。
【請求項３】
上記スリット（Ｓ）の両端部に接続してミシン目（Ｍ）を有する請求項１又は請求項２に記載のおにぎり包装フィルム。
【請求項４】
上記ミシン目（Ｍ）の各々の長さは、２０ｍｍ〜５０ｍｍである請求項３に記載のおにぎり包装フィルム。
【請求項５】
上記請求項１乃至請求項４のいずれか１項に記載のおにぎり包装フィルムを用いることを特徴とする包装おにぎり。
【発明の詳細な説明】
【技術分野】
【０００１】
本発明は、おにぎり包装フィルム及び包装おにぎりに関する。詳しくは簡易且つ安価に作製可能なおにぎり包装フィルム、及びこれを使用した包装おにぎりであって、おにぎり包装フィルムをおにぎりから容易に剥離することができる包装おにぎりに関する。
【背景技術】
【０００２】
近時コンビニエンスストア等で販売されている包装おにぎりは、カットテープを引き剥がすことにより分割可能に重合された一対の外装フィルムと、外装フィルムと内装フィルムの外周縁部を一体に接合して、分離可能に重合された一対の内装フィルムとの間に形成された中空部内に海苔を収納しているものが一般的である。この包装おにぎりを食するときには、カットテープを引き剥がした後、包装フィルムを左右に分割しておにぎりから剥離する。この包装おにぎりのフィルムを剥離する方法も改善されて、容易に剥離できるように改善されている。しかし、カットテープを引き剥がした後に包装フィルムを剥離するのはやはり煩雑であり、特に幼児及び年配者等にとっては、包装おにぎりを食するのは困難な場合が生ずる。
【０００３】
特許文献１には、上記カットテープを使用する煩雑さを避けるために、カットテープの代わりに左右の外装フィルムに接着剤層を設けて左右の外装フィルムを接着して、単に指挿通孔を備えた外装フィルムの一端を引っ張ることによりフィルムを分割して剥離できるおにぎり包装フィルムが開示されている。また、特許文献２には、カットテープを使用することなく、ほぼ中央にミシン目が設けられた外装フィルムと一対の隔離フィルムによって形成された袋状の収納部内に海苔を入れ、隔離フィルム上に置かれたおにぎりを包装フィルムにて三角形状に包装し、食べる時に外装フィルムをミシン目部分で隔離フィルムとともに海苔やおにぎりを残したまま切り離すことができて、海苔の隅部を折畳むだけで海苔を巻いたおにぎりとして簡単に食べることができるおにぎり包装用フィルムが記載されている。
【特許文献１】特開２００７−２９５８６６号公報
【特許文献２】実開昭６１−１９４６５８号公報
【発明の開示】
【発明が解決しようとする課題】
【０００４】
しかし、特許文献１に開示されたおにぎり包装フィルムは、フィルム剥離を簡便にした優れたものではあるが、左右の外装フィルムに接着剤層を設けて接着することは煩雑であって、コストダウンにならないこと及び左右の外装フィルムを剥離するのに相当の力が必要であるため指挿通孔設ける必要がある等の欠点があるのではないかと考えられる。また、特許文献２に開示されたおにぎり包装フィルムは、カットテープを使用することなくフィルムをミシン目だけでフィルムを分離できるため、優れたものではあるが、海苔を手で巻くのが煩雑である等の理由で一般化されていない。  
【０００５】
本願発明は上記課題を解決するものであり、簡易且つ安価に作製可能なおにぎり包装フィルム、及びこれを使用した包装おにぎりであって、おにぎり包装フィルムをおにぎりから容易に剥離することができる包装おにぎりを提供する。
【課題を解決するための手段】
【０００６】
本発明は、下記のとおりである。
１．幅方向の中央部で分割が可能な外装フィルム（１１）と、幅方向の中央部で分離可能に重ね合された一対の内装フィルム（２１ａ、２１ｂ）とからなり、外装フィルム（１１）と内装フィルムの外周縁部（２２ａ、２２ｂ）を一体に接合し、該外装フィルム（１１）と該内装フィルム（２２ａ、２２ｂ）との間に形成された海苔を収納するための中空部（４０）を備えるおにぎり包装フィルム（１）において、
該外装フィルムは、幅方向の中央部において縦方向に複数の折り目（Ｗ、Ｘ、Ｙ、Ｚ）が設けられた折重ね部（１３）を備え、
該外装フィルムの備える折重ね部（１３）は、正面視で折り目（Ｘ）及び折り目（Ｙ）、背面視で折り目（Ｚ）が設けられ、該折り目（Ｗ）を構成する折返し部は該折り目（Ｙ）を構成する折返し部に内接し、
上記外装フィルム（１１）を分割するためのスリット（Ｓ）が、該折り目（Ｘ）に沿って設けられていることを特徴とするおにぎり包装フィルム。
２．上記折り目（Ｘ）に沿って設けられた上記外装フィルム（１１）を分割するためのスリット（Ｓ）は、上記外装フィルム（１１）の両端部の各々から上記スリット（Ｓ）の両端部の各々までの距離が２０ｍｍ〜５０ｍｍであるおにぎり包装フィルム。
３．上記スリット（Ｓ）の両端部に接続してミシン目（Ｍ）を有するおにぎり包装フィルム。
４．上記ミシン目（Ｍ）の各々の長さは、２０ｍｍ〜５０ｍｍであるおにぎり包装フィルム。
５．上記のおにぎり包装フィルムを用いたことを特徴とする包装おにぎり。
【発明の効果】
【０００７】
本願おにぎり包装フィルム（以下「包装フィルム」ともいう。）は、おにぎりを食する際に、従来技術の包装フィルムと異なりカットテープを引き剥がすことなく、単に包装フィルムの取手部の１端（又は両端）を引っ張るだけでおにぎりを包装フィルムから容易に剥離できる。また、カットテープを設ける必要がないため、包装フィルムは簡易且つ安価に製作できるためコスト削減が図れる。ひいては包装おにぎりの低コスト化が図れる。また、おにぎりから包装フィルムを分割して剥離するためのスリットは、外装フィルムに設けられた折重ね部が備える折り目に沿って配置されているため、スリットから塵芥が侵入することがなく衛生的である。
【０００８】
また、上記外装フィルムを分割し、おにぎりから包装フィルムを剥離するためのスリットは、上記外装フィルムの両端部の各々から上記スリットの両端部の各々までの距離が２０ｍｍ〜５０ｍｍである場合は、スリットの長さが適切であり、この外装フィルムを容易に分割できるため、この外装フィルムを備えた包装フィルムを使用した包装おにぎりは、おにぎりから包装フィルムを容易に剥離できる。
更に、ミシン目がスリットに接続して設けられている場合は、スリットを補強するとともに外装フィルムを分割する際にミシン目に沿って外装フィルムを分割できるため、容易におにぎりから包装フィルムを剥離できる。
【０００９】
更にまた、このミシン目が２０ｍｍ〜５０ｍｍである場合には、スリットの補強が適切になされるとともにスリットの長さも適切であり、外装フィルムを容易に分割できるため、この外装フィルムを備えた包装フィルムを使用した包装おにぎりは、おにぎりから包装フィルムを容易に剥離できる。
本願発明の包装おにぎりは、安価なおにぎり包装フィルムを使用するために、包装おにぎりの低コスト化が図れ、且つこれを食するときにおにぎりから包装フィルムを容易に分割・剥離できる。
【発明を実施するための最良の形態】
【００１０】
本願発明のおにぎり包装フィルムは、従来の包装フィルムと異なって、カットテープを使用しない。従って、構造が簡単で製作が容易である。また、本願発明の包装フィルムを使用した包装おにぎりは、おにぎりを包装フィルムから剥離するには、包装フィルムに設けられた取手部を単に一方（又は両方）に引っ張ればすむ。おにぎりを包装フィルムから簡易且つ容易に剥離できるのは、この包装フィルムを構成する外装フィルムに設けられたスリットによる。従って、従来のようにカットテープを設ける必要がない。このため、コスト削減が図れる。
【００１１】
また、おにぎりから包装フィルムを分割・剥離するためのスリットは、外装フィルムにフィルムを折り返して折重ね部が設けられ、この折重ね部が備える折り目に沿って設けられているため、スリットから塵芥が侵入することがなく衛生的である。本願発明のおにぎり包装フィルム１は、外装フィルム１１と一対の内装フィルム２１ａ、２１ｂで構成される。以下図を用いて本発明を実施するための最良の形態を詳細に説明する。
【００１２】
〔外装フィルム〕
図１は本願おにぎり包装フィルム１の正面図を表す。また、この図は外装フィルム１１の正面図と同一でもある。この外装フィルム１１の形状は公知の包装フィルムと略同一の長方形であって長辺の両方にはおにぎりから包装フィルムを剥離するための台形状の取手部１２が設けてある。また、これらのサイズも公知の包装フィルムと略同一であって、長方形は略１４０ｍｍ×２４０ｍｍである。台形部分のサイズは略下記のようである。底辺が２００ｍｍ、上辺が１６０ｍｍ、高さが２０ｍｍである。このサイズはおにぎりの形状及び大きさ等により適宜変更できる。この材質もポリプロピレン等の公知のものを使用できる。このため本願発明に係る包装おにぎりの製造には、従来技術で使用されているおにぎり包装機械がそのまま適用できる。
【００１３】
この外装フィルム１１は、折重ね部１３を備え、この折重ね部１３は折り目Ｗ、Ｘ、Ｙ、Ｚを有する。図１に示すようにこの折り目は正面視でＸとＹのみが視認できる。図２はこの外装フィルム１１の背面図である。この図２に示すように背面からは折り目はＺのみが視認できる。図３はこの外装フィルム１１の折重ね部１３を展開した図である。この図に示すように折り目Ｗ、Ｘ、Ｙ、Ｚは、外装フィルム１１の横幅の中央部に縦方向に設ける。スリットＳはこの折り目Ｘに沿って設けられ、外装フィルム１１の横幅の略中央に位置する。この折重ね部１３の断面は図４に示す。  
【００１４】
図４に示す形状に折重ね部１３を作製できれば、折り目Ｗ、Ｘ、Ｙ、Ｚの間隔は特に限定されないが、製作容易性を考慮すると等間隔であることが好ましい。更に好ましくは折り目Ｗ、Ｘ、Ｙ、Ｚの間隔は等間隔であって、その間隔は７ｍｍ〜１５ｍｍである。７ｍｍ未満であると外装フィルム１１が少しの外力Ｆ１及び／又はＦ２で分離してしまい包装おにぎりの製造が困難になることがある。また、塵芥が包装フィルムの内部に侵入する恐れがある。また、１５ｍｍ以上であるとおにぎりの包装状態を現す図８（２）に示す包装フィルムの巻上げ部１４の調製が困難な場合が生じる。このことを考慮すると折り目の間隔は特に好ましくは８ｍｍ〜１２ｍｍである。
【００１５】
この折り目Ｘに沿ってスリットＳが設けられている。このスリットＳは、外装フィルム１１を２分割する機能をはたす。このスリットＳの寸法Ｌは折り目Ｘ（外装フィルム１１の長さ方向の寸法）より小さければ特に限定はないが外装フィルム１１の端部からの距離Ｔ１及びＴ２の各々は２０ｍｍ〜７０ｍｍ、好ましくは２０ｍｍ〜６０ｍｍ、更に好ましくは２０ｍｍ〜５０ｍｍである。２０ｍｍ未満であると包装おにぎりの製造中に外装フィルム１１が２分割してしまう恐れがあるためである。また、７０ｍｍを超えると包装おにぎりの包装フィルム１を剥離するのに大きな力が必要となるためである。図４に示すように力Ｆ１及び／又はＦ２を矢印の方向に加えれば、この外装フィルム１１のスリット存在しない部分（図３においてＴ１及びＴ２にあたる部分）は裂けて左右に分割される。
【００１６】
また、図１１に示すように、このスリットＳはその両端にミシン目Ｍを設けることもできる。スリットＳの寸法が大きいほど外装フィルム１１は分割が容易である（従っておにぎりを包装フィルム１から剥離しやすい。）が、上述したように包装おにぎりの製造中に外装フィルム１１が二つに分割してしまう恐れがある。このミシン目Ｍを設けた場合は、スリットＳを小さくした場合であっても、容易に外装フィルム１１を分割することができる。この外装フィルム１１はスリットＳにより分割される際に、当初はスリットＳにより分割が始まり、次いでミシン目Ｍにより分割が継続される。
【００１７】
このミシン目Ｍの長さ寸法Ｌ２及びＬ３は２０ｍｍ〜７０ｍｍ、好ましくは２０ｍｍ〜６０ｍｍ、更に好ましくは２０ｍｍ〜５０ｍｍである。２０ｍｍ未満であるとミシン目Ｍを設けた効果が少ない（図中ＬＩはスリットの長さを示す。）。また、７０ｍｍを超えるとスリットＳの長さ寸法が小さくなり過ぎて外装フィルム１１の分割が困難になる傾向にある。従って、おにぎりを包装フィルム１から剥離することが困難な場合が生じる。このミシン目Ｍの端部から外装フィルム１１の端部までの距離Ｔ３及びＴ４は０ｍｍ〜４０ｍｍとすることができる。即ち、ミシン目は外装フィルム１１の端部から設けることもできる。
【００１８】
また、この外装フィルム１１の折重ね部１３は、図４が示すように折り目Ｗの折返し部Ｗ１は、折り目Ｙの折返し部Ｙ１に内接している。このため塵芥がスリットＳから包装内部に侵入することはない。また、この折重ね部１３を作製するときに、特に熱をかける必要はないが、低い温度を用いて折り返し面が弱く接着する程度に押圧することもできる。この押圧時の温度は外装フィルム１１を構成する材質により異なる。
【００１９】
〔内装フィルム〕
内装フィルムは一対で構成される。図５は本願発明の包装フィルム１の背面図である。この図５に示すとおり、外装フィルムと内装フィルム２１ａ、２１ｂの外周縁部２２ａ、２２ｂを一体に接合し、包装フィルム１の模式断面図４に示すように外装フィルム１１と内装フィルム２１ａ、２１ｂとの間に形成された海苔３０を収納するための中空部４０を備える。外装フィルムと内装フィルム２１ａ、２１ｂの外周縁部２２ａ、２２ｂを一体に接合する方法は特に限定されないが通常は熱圧着する。また、この外周縁部２２ａ、２２ｂには、非接合部２２ｃ（図４及び図５を参照）を設ける。この非接合部２２ｃは、内装フィルム２１ａ、２１ｂが接合された外装フィルム１１を分割（おにぎりを包装フィルムから剥離）する際に、この内装フィルム２１ａ、２１ｂを外装フィルム１１とともに分離して、おにぎりを包装フィルムから剥離する役目をはたす。  
【００２０】
図６は海苔３０をこの中空部４０に収納した状態を示す説明図である。この海苔３０を収納するための中空部４０は海苔を収納する前に形成することもできるが、海苔３０を外装フィルム１１の背面に載置した後、内装フィルムの外周縁部２２ａ、２２ｂを外装フィルム１１に接合して形成することもできる。この内装フィルム２１ａ、２１ｂの材質は例えばポリエチレン等の公知の樹脂を挙げられる。
【００２１】
〔包装おにぎり〕
本願発明の包装おにぎりは下記のように作られる。包装フィルム１に海苔を収納した後、包装フィルム１の背面の横方向中央に位置するスリットＳ上であって、縦方向上半分の中央部位置におにぎりを載置する。図７はおにぎり５０を包装フィルム１の背面に載置した状態を示す説明図である。図８（１）に示すように包装フィルム１をおにぎり５０の半分に巻き上げて、次いでこのおにぎり５０を包み込む。その後図８の（２）に示すように残りの包装フィルム１をおにぎり５０に巻き上げ、包み込んで包装おにぎり１００の完成形状とする。
【００２２】
この完成形状となった包装おにぎり１００は、図８（２）に示すＨ４及びＨ５をスポット熱圧着して完成形状が解けないようにする。また、巻上げ部１４のＨ１をスポット熱圧着して完成形状が解けないように補強することもできる。更に、取手部１２のＨ２及びＨ３にスポット熱圧着をして完成形状が解けないように固定することが好ましい。この熱圧着に代えて、（透明）粘着テープ、接着剤（メチルセルロース等の食品に使用ができるもの）、又は輪ゴム等を使用して完成形状を解けないようにすることもできる。また、Ｈ４及びＨ５をスポット熱圧着として、巻上げ部１４のＨ１を（透明）粘着テープで固定する等の組み合わせもできる。
【００２３】
本願発明の包装おにぎりは、図９に示すように取手部１２の片方又は両方を引っ張ることにより外装フィルム１１は、１１（ａ）と１１（ｂ）が折重ね部１３の備える折り目Ｘに沿って設けられたスリットＳにより分割される。また図１０に示すように内装フィルム２１ａ、２１ｂも外周縁部２２ａ、２２ｂが外装フィルム１１に接合され、且つ非接合部２２ｃが設けられているため、内装フィルム２１ａは外装フィルム１１（ａ）と一体となって分離し、内装フィルム２１ｂは外装フィルム１１（ｂ）と一体となって分離する。このため、容易に中身の海苔付きおにぎり６０を取り出すことが可能となる。この外装フィルム１１には予め、商標、製造年月日等を印刷しておくこともできるし、後で商標、製造年月日を印刷したシールを貼着することもできる。
【実施例１】
【００２４】
（１）外装フィルムとしてポリプロピレンを使用して、長方形部の寸法が縦２３０ｍｍ×横１５０ｍｍ、取手部の寸法が底辺１９０ｍｍ×上辺１６０ｍｍ×高さ２０ｍｍのものとし、これに折り目Ｗ、Ｘ、Ｙ、Ｚを有する折重ね部をつくり折り目Ｘに沿って端部から３０ｍｍの距離に長さ１７０ｍｍのスリットを設けた。その後、この折重ね部を強く押圧して図１の外装フィルムを得た。
（２）内装フィルムとしてポリエチレンを使用して、縦２３０ｍｍ×横８０ｍｍのもの２枚を得て、一対の内装フィルムとした。この内装フィルムの外周縁部と外装フィルムの外周縁部とを接着して海苔収納用中空部を備える図５に示す包装フィルムを得た。
（３）この中空部に海苔を収納した後、おにぎりを図７に示すように載置して、図８（１）のように包装フィルム巻上げ、次いで図８（２）に示すおにぎりを得た。その後、図８（２）に示すＨ１、Ｈ２、Ｈ３、Ｈ４、Ｈ５の箇所にスポット熱圧着シールを施して本願発明の包装おにぎりを得た。
（４）結果  外装フィルムの折返し部はフィルムの折返し面が互いに密着して隙間がなかった。また、図９に示すようにおにぎりを片方の手で軽く握り、他方の手で取手部を引っ張ったところ簡単に包装フィルムから海苔付きおにぎりを剥離することができた。
【実施例２】
【００２５】
（１）長さ１４０ｍｍのスリットの両端部に図１１に示すように２５ｍｍのミシン目を設けたこと以外は、実施例１と同様にして包装フィルムを得て、同様の方法でおにぎりを包装した。
（２）結果  外装フィルムの折返し部はフィルムの折返し面が互いに密着して隙間がなかった。また、図９に示すようにおにぎりを片方の手で軽く握り、他方の手で取手部を引っ張ったところ、スリットが分離をした後ミシン目が包装フィルムから裂けて、簡単に包装フィルムから海苔付きおにぎりを剥離することができた。
【図面の簡単な説明】
【００２６】
【図１】本願発明の包装フィルムの正面図である。
【図２】外装フィルムの背面図である。
【図３】外装フィルムの展開図である。
【図４】図１に係るＡ−Ａ断面模式図である。
【図５】本発明の包装フィルムの背面図である。
【図６】中空部に海苔を収納した状態の説明図である。
【図７】おにぎりをおにぎり包装フィルムに載置した状態を示す説明図である・
【図８】おにぎり包装フィルムでおにぎりを包装する状態を示す説明図である。
【図９】本願発明の包装おにぎりからおにぎり包装フィルムを剥離する際の状態を示す説明図である。
【図１０】本願発明の包装おにぎりからおにぎり包装フィルムを剥離する際の外装フィルム及び内装フィルムの状態を示す説明図である。
【図１１】スリットの端部にミシン目を設けた外装フィルムの展開図である。
【符号の説明】
【００２７】
１      包装フィルム
１１    外装フィルム
１３    折重ね部
２１ａ  内装フィルム
２１ｂ  内装フィルム
２２ａ  内装フィルムの外周縁部
２２ｂ  内装フィルムの外周縁部
２２ｃ  非接合部
３０    海苔
４０    海苔を収納するための中空部
５０    おにぎり
６０    海苔付きおにぎり
１００  包装おにぎり
Ｍ      ミシン目
Ｓ      スリット
Ｘ      折り目
Ｙ      折り目
Ｗ      折り目
Ｚ      折り目
Ｙ１    折り目Ｙの折返し部
Ｗ１    折り目Ｗの折返し部
【図１】
2010070242.tif 000003
【図２】
2010070242.tif 000004
【図３】
2010070242.tif 000005
【図４】
2010070242.tif 000006
【図５】
2010070242.tif 000007
【図６】
2010070242.tif 000008
【図７】
2010070242.tif 000009
【図８】
2010070242.tif 000010
【図９】
2010070242.tif 000011
【図１０】
2010070242.tif 000012
【図１１】
2010070242.tif 000013